(57)【要約】  【課題】庫内の照明としてＬＥＤを使用した冷蔵庫において、使用者がドアを長時間開けてしまい庫内の温度が上昇して保存している食品の鮮度が落ちる、または大きく上昇してしまった庫内温度を下げるために消費電力が多くなってしまうことを防ぐことができる冷蔵庫を提供する。  【解決手段】ドアの開閉状態を検知するドア開閉検知手段１０１と庫内を照らす庫内照明１０２とそれらを制御する制御手段１００とを備え、ドア開を検知してから一定時間後に庫内照明１０２を点滅させるので、ドアを開けている時間が長時間に及んでいることを使用者に知らせることができ、庫内の温度が上昇して保存している食品の鮮度が落ちる、または大きく上昇してしまった庫内温度を下げるために消費電力が多くなってしまうことを防ぐことができる。【選択図】図１
2008232529.tif 000002
【特許請求の範囲】
【請求項１】
庫内の照明としてＬＥＤを使用した冷蔵庫において、ドアの開閉を検知するドア開閉検知手段と、庫内を照らす庫内照明と、前記ドア開閉検知手段からの信号を入力し前記庫内照明を制御する制御手段を備え、ドア開を検知してから一定時間後に庫内照明を点滅させる冷蔵庫。
【請求項２】
ドア開を検知してからの時間経過とともに点滅周期を早くする請求項１に記載の冷蔵庫。
【請求項３】
庫内の温度を検出する庫内温度検出手段を備え、ドア開を検知した時の庫内温度によって前記庫内照明の点滅開始時間を変える請求項１に記載の冷蔵庫。
【請求項４】
庫内の温度を検出する庫内温度検出手段を備え、ドア開後の温度上昇幅によって点滅周期を変える請求項１に記載の冷蔵庫。
【請求項５】
庫内の照明としてＬＥＤを使用した冷蔵庫において、ドアの開閉を検知するドア開閉検知手段と、庫内を照らす庫内照明と、前記ドア開閉検知手段からの信号を入力し前記庫内照明を制御する制御手段を備え、ドア開を検知してからの時間経過とともに庫内照明の色を変える冷蔵庫。
【発明の詳細な説明】
【技術分野】
【０００１】
本発明は、ＬＥＤを使った庫内照明を備えた冷蔵庫に関するものである。
【背景技術】
【０００２】
従来、この種の冷蔵庫は庫内照明としてＬＥＤを使用したものがある（例えば、特許文献１参照）。
【０００３】
以下、上記従来の冷蔵庫の庫内照明を図１３から図１６に基づいて説明する。
【０００４】
１は冷媒を圧縮循環させる圧縮機、２はこの冷媒を蒸発させる冷却器、３はこの冷却器２により冷却された冷気を循環させるファン、４は冷凍室５の庫内の温度を検出する温度検出手段である冷凍室サーミスタ、６は冷凍室５を開閉自在に塞ぐ扉、７はこの扉６の開閉により入り切りするドアスイッチ、８は冷蔵庫全体の運転を制御する制御基板、９はドアスイッチ７の入り切りの動作により扉６の閉状態を検知する扉閉検知手段で、ドアスイッチ７の接点の遊びなどにより扉６は完全に閉じられていない場合があり、扉６が一定の角度以下に閉じた事を検知している。
【０００５】
１０はこの扉閉検知手段９によって扉６の閉状態を検知した時から庫内が冷却状態となっている時間、すなわち、圧縮機１が運転されて冷凍室５が冷却されている時間を積算し、この冷却積算時間が予め設定した時間に達した時の冷却前後の温度を温度検出手段である冷凍室サーミスタ４からそれぞれ検出する冷却前後の庫内温度測定手段である。１１はこの冷却前後の庫内温度測定手段１０により検出された冷却前後の温度変化に基づいて扉６の開閉、すなわち扉６が完全に閉っているかを判定するとともに、この判定結果に基づいて、図１４に示すように制御基板８に備えた警報器であるブザー１２に出力し、警報を行わせる警報器制御決定手段である。
【０００６】
図１４は電気接続を示す回路図である。電気部品の電源１３を切る手段としてスイッチ１４がありこれは、圧縮機１をＯＮ／ＯＦＦする接点であり、この接点はコイル１５により駆動され、コイル１５への通電は駆動回路（１）１６で通電される。また、上記ファン３は駆動回路（２）１７で駆動されるフォトカプラ１８によって通電され、上記ブザー１２は駆動回路（３）１９で制御される。これら駆動回路（１）１６、駆動回路（２）１７、駆動回路（３）１９の内どれに通電されるかはマイクロコンピュータ２０によって決定する。このマイクロコンピュータ２０の入力としては上記サーミスタ４とドアスイッチ７である。ここで２１はサーミスタ４と電圧を分圧している分圧抵抗である。２２はファン３のキャパシタである。なお、上記扉閉検知手段９と冷却前後の庫内温度測定手段１０及び警報器制御決定手段１１はマイクロコンピュータ２０で実行されている。
【０００７】
次に動作について説明する。扉閉検知手段９で扉６が一定角度以下に閉じたことを検知した後、冷却前後の庫内温度測定手段１０で冷却積算前後の庫内温度をそれぞれ検出し保持する。そして、この検出温度の変化から警報器制御決定手段１１でブザー１２を動作し警報を発するか否かを決定する。次いで、この冷却前後の庫内温度測定手段１０の動作を図１５のフローチャートで説明する。まず、ステップ２３でマイクロコンピュータ２０が圧縮機１の運転を検出したらステップ２４でサーミスタ４から庫内温度を測定し、これをＴ１とする。次いで、ステップ２５では圧縮機１の運転時間を積算する。ステップ２６で圧縮機１の停止を検知したら圧縮機１の運転積算時間が所定の時間に達したかを判断し、達していたらステップ２７で再度庫内温度を測定し、これをＴ２とする。
【０００８】
次いで図１６のフローチャートを用い警報器制御決定手段１１を説明する。ステップ２８では上記ステップ２４とステップ２７で測定された庫内温度を比較し、Ｔ２がＴ１より大きいかを確認する。確認されたら、冷却しているのに温度が下がらないのは扉６が確実に閉っていないためと判断してステップ２９で扉６が開状態と判定する。次でステップ３０で庫内温度を測定し、これをＴとする。ステップ３１ではこのＴと予め設定された庫内の設定温度Ｔ０との大小を比較し、Ｔ０が大きければ、扉６が若干開いていても食品の温度などに影響はないので、ステップ３０とステップ３１を繰り返す。ステップ３１でＴが大きかったらステップ３２でブザー１２を鳴らす。なお、図１５及び図１６の冷却前後の庫内温度測定手段１０と警報器制御決定手段１１の動作中にドアスイッチ７が扉６の開を検知したら、動作は全て中止されて扉閉検知手段９へと戻り、ステップ３２でブザー１２が鳴っていれば、ブザー１２を停止させる。
【特許文献１】特開平５−２２３４３６号公報
【発明の開示】
【発明が解決しようとする課題】
【０００９】
しかしながら、上記従来の構成では使用者がドアを長時間開けてしまい庫内の温度が上昇して保存している食品の鮮度が落ちる、または大きく上昇してしまった庫内温度を下げるために消費電力が多くなってしまうという課題を有していた。
【００１０】
本発明は、上記従来の課題を解決するもので、ドア開いてから一定時間後に庫内照明を点滅させることによりドアを開けている時間が長時間に及んでいることを使用者に知らせることができる冷蔵庫を提供することを目的とする。
【課題を解決するための手段】
【００１１】
上記従来の課題を解決するために、本発明の冷蔵庫は、ドア開を検知してから一定時間後に庫内照明を点滅させるように構成したものである。
【００１２】
これによりドアを開けている時間が長時間に及んでいることを使用者に知らせることができる。
【００１３】
また、ドア開を検知してからの時間経過とともに庫内照明の色を変えるよう構成したものである。
【００１４】
これによりドアを開けている時間が長時間に及んでおり早くドアを閉める必要があることを使用者に知らせることができる。
【発明の効果】
【００１５】
本発明の冷蔵庫は、使用者がドアを長時間開けてしまい庫内の温度が上昇して保存している食品の鮮度が落ちる、または大きく上昇してしまった庫内温度を下げるために消費電力が多くなってしまうことを防ぐことができる。
【発明を実施するための最良の形態】
【００１６】
請求項１に記載の発明は、庫内の照明としてＬＥＤを使用した冷蔵庫において、ドアの開閉を検知するドア開閉検知手段と、庫内を照らす庫内照明と、前記ドア開閉検知手段からの信号を入力し前記庫内照明を制御する制御手段を備え、ドア開を検知してから一定時間後に庫内照明を点滅させるので、ドアを開けている時間が長時間に及んでいることを使用者に知らせることができ、庫内の温度が上昇して保存している食品の鮮度が落ちる、または大きく上昇してしまった庫内温度を下げるために消費電力が多くなってしまうことを防ぐことができる。
【００１７】
請求項２に記載の発明は、請求項１に記載の発明において、ドア開を検知してからの時間経過とともに点滅周期を早くするものであり、ドアを開けている時間が長時間に及んでおり早くドアを閉める必要があることを使用者に知らせることができ、庫内の温度が上昇して保存している食品の鮮度が落ちる、または大きく上昇してしまった庫内温度を下げるために消費電力が多くなってしまうことを防ぐことができる。
【００１８】
請求項３に記載の発明は、請求項１に記載の発明において、庫内の温度を検出する庫内温度検出手段を備え、前記制御手段はドア開を検知した時の庫内温度によって前記庫内照明の点滅開始時間を変えるので、ドアを開ける前から庫内温度が高かった時にはより早くドアを閉める必要があることを使用者に知らせることができ、庫内の温度が上昇して保存している食品の鮮度が落ちる、または大きく上昇してしまった庫内温度を下げるために消費電力が多くなってしまうことを防ぐことができる。
【００１９】
請求項４に記載の発明は、請求項１に記載の発明において、庫内の温度を検出する庫内温度検出手段を備え、ドア開後の温度上昇幅によって点滅周期を変えるものであり、夏場等外気温度が高くドアを明けた時の庫内温度の上昇が激しい時にはより早くドアを閉める必要があることを使用者に知らせることができ、庫内の温度が上昇して保存している食品の鮮度が落ちる、または大きく上昇してしまった庫内温度を下げるために消費電力が多くなってしまうことを防ぐことができる。
【００２０】
請求項５に記載の発明は、庫内の照明としてＬＥＤを使用した冷蔵庫において、ドアの開閉を検知するドア開閉検知手段と、庫内を照らす庫内照明と、前記ドア開閉検知手段からの信号を入力し前記庫内照明を制御する制御手段を備え、ドア開を検知してからの時間経過とともに庫内照明の色を変えるので、ドアを開けている時間が長時間に及んでおり早くドアを閉める必要があることを使用者に知らせることができ、庫内の温度が上昇して保存している食品の鮮度が落ちる、または大きく上昇してしまった庫内温度を下げるために消費電力が多くなってしまうことを防ぐことができる。
【００２１】
以下、本発明の実施の形態について図面を参照しながら説明するが、先に説明した実施の形態と同一構成については同一符号を付して、その詳細な説明は省略する。なお、この実施の形態によってこの発明が限定されるものではない。
【００２２】
（実施の形態１）
図１は、本発明の実施の形態１における冷蔵庫の制御回路のブロック図、図２は動作を示すフローチャートであり、以下図１、図２を参照しながら説明する。
【００２３】
図１において、制御手段１００はドア開閉検知手段１０１からドアが開いているか閉まっているかの信号を入力し、庫内照明１０２を制御するよう構成している。
【００２４】
以上のように構成された冷蔵庫において、図２を参照しながら動作説明を行う。まず、ステップ１００でドア開閉検知手段１０１からの信号を入力しステップ１０１でドアが閉まっていればステップ１０２で庫内照明１０２を消灯する処理をしてステップ１００に戻る。ステップ１０１でドアが開いていればステップ１０３でドア開を入力してからの時間ｔ１が所定値Ｔ１に達していなければステップ１０４で庫内照明１０２を点灯し、所定値Ｔ１以上になっていればステップ１０５で庫内照明１０２を点滅させる。
【００２５】
以上のように、本実施の形態においてはドア開を検知してから一定時間後に庫内照明を点滅させるので、ドアを開けている時間が長時間に及んでいることを使用者に知らせることができ、庫内の温度が上昇して保存している食品の鮮度が落ちる、または大きく上昇してしまった庫内温度を下げるために消費電力が多くなってしまうことを防ぐことができる。
【００２６】
（実施の形態２）
図３は、本発明の実施の形態２における冷蔵庫の制御回路のブロック図、図４は動作を示すフローチャート、図５は庫内照明の点滅パターン例を示す図であり、以下図３、図４、図５を参照しながら説明する。
【００２７】
図３において、制御手段２００はドア開閉検知手段１０１からドアが開いているか閉まっているかの信号を入力し、庫内照明１０２を制御するよう構成している。
【００２８】
以上のように構成された冷蔵庫において、図４および図５を参照しながら動作説明を行う。まず、ステップ１０４までは実施の形態１と同じであり、ステップ２００で庫内照明１０２を点滅周期Ｓ１で点滅し、ステップ２０１でドア開を入力してからの時間ｔ１が所定値Ｔ２に達していなければステップ１００に戻り、所定値Ｔ２以上になっていればステップ２０２で庫内照明１０２を点滅周期Ｓ２（Ｓ２＜Ｓ１）で点滅させる。ここでＴ２＞Ｔ１である。図５は点滅パターンの例を示すものである。
【００２９】
以上のように、本実施の形態においてはドア開を検知してからの時間経過とともに点滅周期を早くするので、ドアを開けている時間が長時間に及んでおり早くドアを閉める必要があることを使用者に知らせることができ、庫内の温度が上昇して保存している食品の鮮度が落ちる、または大きく上昇してしまった庫内温度を下げるために消費電力が多くなってしまうことを防ぐことができる。
【００３０】
（実施の形態３）
図６は、本発明の実施の形態３における冷蔵庫の制御回路のブロック図、図７は動作を示すフローチャートであり、以下図６、図７を参照しながら説明する。
【００３１】
図６において、制御手段３００はドア開閉検知手段１０１からドアが開いているか閉まっているかの信号と庫内温度検出手段３０１からの信号を入力し、庫内照明１０２を制御するよう構成している。
【００３２】
以上のように構成された冷蔵庫において、図７を参照しながら動作説明を行う。ステップ１０２までは実施の形態１と同じであり、ステップ３００でドア開が検出された時の庫内温度検出手段３０１の温度ｐ１が所定値Ｐ１より低ければステップ３０１でドア開時間所定値Ｔ１に時間Ａを設定し、所定値Ｐ１以上であれば時間Ｂを設定する。ここでＢ＜Ａである。ステップ３０３でドア開を入力してからの時間ｔ１が所定値Ｔ１に達していなければステップ３０４で庫内照明１０２を点灯し、所定値Ｔ１以上になっていればステップ３０５で庫内照明１０２を点滅させる。
【００３３】
以上のように、本実施の形態においてはドア開を検知した時の庫内温度によって前記庫内照明の点滅開始時間を変えるので、ドアを開ける前から庫内温度が高かった時にはより早くドアを閉める必要があることを使用者に知らせることができ、庫内の温度が上昇して保存している食品の鮮度が落ちる、または大きく上昇してしまった庫内温度を下げるために消費電力が多くなってしまうことを防ぐことができる。
【００３４】
（実施の形態４）
図８は、本発明の実施の形態４における冷蔵庫の制御回路のブロック図、図９は動作を示すフローチャートであり、以下図８、図９を参照しながら説明する。
【００３５】
図８において、制御手段４００はドア開閉検知手段１０１からドアが開いているか閉まっているかの信号と庫内温度検出手段３０１からの信号を入力し、庫内照明１０２を制御するよう構成している。
【００３６】
以上のように構成された冷蔵庫において、図９および図５を参照しながら動作説明を行う。ステップ１０２までは実施の形態１と同じであり、ステップ４００で庫内温度検出手段３０１の温度ｐ２を入力しステップ４０１でドア開時間ｔ１が所定値Ｔ１に達していなければステップ４０２で庫内照明１０２を点灯し、所定値Ｔ１以上になっていればステップ４０３で庫内温度検出手段３０１の温度ｐ３を入力する。ステップ４０４でｐ３とｐ２との差（ｐ３−ｐ２）が所定値Ｐ２以上であればステップ４０５で庫内照明１０２を点滅周期Ｓ２で点滅させ、所定値Ｐ２より小さければ庫内照明１０２を点滅周期Ｓ１で点滅させる。ここでＳ２＜Ｓ１である。図５は点滅パターンの例を示すものである。
【００３７】
以上のように、本実施の形態においてはドア開後の温度上昇幅によって点滅周期を変えるので、夏場等外気温度が高くドアを明けた時の庫内温度の上昇が激しい時にはより早くドアを閉める必要があることを使用者に知らせることができ、庫内の温度が上昇して保存している食品の鮮度が落ちる、または大きく上昇してしまった庫内温度を下げるために消費電力が多くなってしまうことを防ぐことができる。
【００３８】
（実施の形態５）
図１０は、本発明の実施の形態５における冷蔵庫の庫内照明に使われるＬＥＤを示す図であり、１つのＬＥＤが赤緑青の３つのＬＥＤで構成されておりこの３つのＬＥＤに流す電流を可変することによりそれぞれのＬＥＤの光度がかわり全体としての色が変わる。赤緑青の３つのＬＥＤで構成された１つのＬＥＤを数個使い庫内照明は構成されている。図１１は制御回路のブロック図、図１２は動作を示すフローチャートであり、以下図１０、図１１、図１２を参照しながら説明する。
【００３９】
図１１において、電流可変手段５０１は赤ＬＥＤ５０２に流れる電流値を可変し電流可変手段５０３は青ＬＥＤ５０４に流れる電流値を可変し電流可変手段５０５は緑ＬＥＤ５０６に流れる電流値を可変し、電流可変手段５０１と電流可変手段５０３と電流可変手段５０５は制御手段５００で制御される。
【００４０】
以上のように構成された冷蔵庫において、図１２を参照しながら動作説明を行う。ステップ１０３までは実施の形態１と同じであり、ステップ１０３でドア開時間が所定値Ｔ１に達していなければ、ステップ５００で電流可変手段５０１と電流可変手段５０３と電流可変手段５０５の設定を同じにして赤ＬＥＤ５０２と青ＬＥＤ５０４と緑ＬＥＤ５０６の光度を同じにし庫内照明として白色に点灯させる。ドア開時間ｔ１が所定値Ｔ１以上であれば、ステップ５０１で電流可変手段５０５により緑ＬＥＤ５０６には電流を流して発光させ、電流可変手段５０１と電流可変手段５０３の設定は０とし赤ＬＥＤ５０２と青ＬＥＤ５０４は消灯させて庫内照明として緑色に点灯させる。ステップ５０２でドア開時間ｔ１が所定値Ｔ２に達していなければステップ１００に戻り、所定値Ｔ２以上であれば、ステップ５０３で電流可変手段５０１により赤ＬＥＤ５０２には電流を流して発光させ、電流可変手段５０３と電流可変手段５０５の設定は０とし青ＬＥＤ５０４と緑ＬＥＤ５０６は消灯させて庫内照明として赤色に点灯させる。ここでＴ２＞Ｔ１である。
【００４１】
以上のように、本実施の形態においてはドア開を検知してからの時間経過とともに庫内照明の色を変えるので、ドアを開けている時間が長時間に及んでおり早くドアを閉める必要があることを使用者に知らせることができ、庫内の温度が上昇して保存している食品の鮮度が落ちる、または大きく上昇してしまった庫内温度を下げるために消費電力が多くなってしまうことを防ぐことができる。
【産業上の利用可能性】
【００４２】
以上のように本発明にかかる冷蔵庫は、使用者がドアを長時間開けてしまい庫内の温度が上昇して保存している食品の鮮度が落ちる、または大きく上昇してしまった庫内温度を下げるために消費電力が多くなってしまうことを防ぐことができるので、ＬＥＤを使った庫内照明を用いる食品保存機器全般に適用できる。
【図面の簡単な説明】
【００４３】
【図１】本発明の実施の形態１における冷蔵庫の制御回路のブロック図
【図２】本発明の実施の形態１における冷蔵庫の制御回路のフローチャート
【図３】本発明の実施の形態２における冷蔵庫の制御回路のブロック図
【図４】本発明の実施の形態２における冷蔵庫の制御回路のフローチャート
【図５】本発明の実施の形態２における冷蔵庫の庫内照明の点滅パターン図
【図６】本発明の実施の形態３における冷蔵庫の制御回路のブロック図
【図７】本発明の実施の形態３における冷蔵庫の制御回路のフローチャート
【図８】本発明の実施の形態４における冷蔵庫の制御回路のブロック図
【図９】本発明の実施の形態４における冷蔵庫の制御回路のフローチャート
【図１０】（ａ）本発明の実施の形態５における冷蔵庫のＬＥＤを上から見た図（ｂ）同ＬＥＤの側面図
【図１１】本発明の実施の形態５における冷蔵庫の制御回路のブロック図
【図１２】本発明の実施の形態５における冷蔵庫の制御回路のフローチャート
【図１３】従来の冷蔵庫の制御装置のブロック図
【図１４】従来の冷蔵庫の制御回路のブロック図
【図１５】従来の冷蔵庫の制御回路のフローチャート
【図１６】従来の冷蔵庫の制御回路のフローチャート
【符号の説明】
【００４４】
１００  制御手段
１０１  ドア開閉検知手段
１０２  庫内照明
２００  制御手段
３００  制御手段
３０１  庫内温度検出手段
４００  制御手段
５００  制御手段
５０１  電流可変手段
５０２  赤ＬＥＤ
５０３  電流可変手段
５０４  青ＬＥＤ
５０５  電流可変手段
５０６  緑ＬＥＤ
【図１】
2008232529.tif 000003
【図２】
2008232529.tif 000004
【図３】
2008232529.tif 000005
【図４】
2008232529.tif 000006
【図５】
2008232529.tif 000007
【図６】
2008232529.tif 000008
【図７】
2008232529.tif 000009
【図８】
2008232529.tif 000010
【図９】
2008232529.tif 000011
【図１０】
2008232529.tif 000012
【図１１】
2008232529.tif 000013
【図１２】
2008232529.tif 000014
【図１３】
2008232529.tif 000015
【図１４】
2008232529.tif 000016
【図１５】
2008232529.tif 000017
【図１６】
2008232529.tif 000018